(57)【特許請求の範囲】
【請求項１】
利用者端末の表示部に表示可能なテンプレートをテンプレート作成者の端末から受信し、前記テンプレートを識別する識別情報を前記テンプレートに埋め込む識別情報埋込手段と、
前記テンプレートを、前記識別情報に対応付けて記憶するテンプレート記憶部と、
前記テンプレートと共に表示可能な広告データを記憶する広告データ記憶部と、
前記利用者端末から前記テンプレートの要求を受信する要求受信手段と、
前記要求を受信したことに応じて、前記要求に対応する前記記憶されたテンプレートを、前記広告データに関連付けて前記利用者端末に配布するテンプレート配布手段と、
前記テンプレートを配布するステップにより前記テンプレートに関連付けて配布した前記広告データの属性に応じて、前記配布されたテンプレートに係る報酬を計算する報酬計算手段と、
前記報酬計算手段により計算され、前記テンプレート作成者に分配される前記報酬を、前記識別情報に対応付けて記憶する報酬記憶部と、
を備え、
前記テンプレート記憶部は、前記テンプレート作成者の端末から受信した前記テンプレートに既に前記識別情報が埋め込まれていた場合には、改変された改変後テンプレートとして、前記識別情報に基づき改変前の前記テンプレートに対応付けて前記改変後テンプレートに対する前記テンプレートの改変に係る寄与度を記憶し、
前記要求受信手段は、さらに、前記利用者端末から、前記テンプレート上に配置された前記広告データが選択されたことに応じて、前記広告データにリンクされた広告ページの要求を受信し、
前記報酬計算手段は、前記テンプレート記憶部に記憶された前記寄与度に基づき、前記改変後テンプレートと、前記テンプレートとに係る報酬を計算すると共に、前記要求受信手段により、前記広告ページの要求を受信したことに応じて、報酬を計算する利用収益還元サーバ。
【請求項２】
利用者端末の表示部に表示可能なテンプレートをテンプレート作成者の端末から受信し、前記テンプレートを識別する識別情報を前記テンプレートに埋め込む識別情報埋込手段と、
前記テンプレートを、前記識別情報に対応付けて記憶するテンプレート記憶部と、
前記テンプレートと共に表示可能な広告データを記憶する広告データ記憶部と、
前記利用者端末から前記テンプレートの要求を受信する要求受信手段と、
前記要求を受信したことに応じて、前記要求に対応する前記記憶されたテンプレートを、前記広告データに関連付けて前記利用者端末に配布するテンプレート配布手段と、
前記テンプレート配布手段により前記テンプレートに関連付けて配布した前記広告データの属性に応じて、前記配布されたテンプレートに係る報酬を計算する報酬計算手段と、
前記報酬計算手段により計算され、前記テンプレート作成者に分配される前記報酬を、前記識別情報に対応付けて記憶する報酬記憶部と、
を備え、
前記テンプレート記憶部は、前記テンプレート作成者の端末から受信した前記テンプレートに既に前記識別情報が埋め込まれていた場合には、改変された改変後テンプレートとして、前記識別情報に基づき改変前の前記テンプレートに対応付けて前記改変後テンプレートに対する前記テンプレートの改変に係る寄与度を記憶し、
前記要求受信手段は、さらに、前記利用者端末から、前記テンプレート上に配置された前記広告データが選択されたことに応じて、前記広告データにリンクされた広告ページの要求を受信し、
前記報酬計算手段は、前記テンプレート記憶部に記憶された前記寄与度を用いて、前記改変後テンプレートと、前記テンプレートとに対する分配率を決定し、決定された前記分配率に基づいて各テンプレート作成者に対する報酬を計算すると共に、前記要求受信手段により、前記広告ページの要求を受信したことに応じて、報酬を計算する利用収益還元サーバ。
【請求項３】
前記テンプレート配布手段は、前記テンプレートの一部分に前記広告データを表示する広告表示領域を有する前記テンプレートを配布すること、
を特徴とする請求項１又は請求項２に記載の利用利益還元サーバ。
【請求項４】
前記要求受信手段は、前記利用者端末から前記識別情報と共に広告要求を受信し、
前記報酬計算手段は、前記要求受信手段により受信した前記広告要求に対応する広告データを前記利用者端末に送信することに応じて、前記識別情報に対応する前記テンプレートに係る報酬を計算すること、
を特徴とする請求項１から請求項３のいずれか１項に記載の利用利益還元サーバ。
【請求項５】
前記テンプレート記憶部は、前記テンプレートとしてＷｅｂページ上に表示するＷｅｂページのテンプレート、ソフトウェアのデザインに関する情報であるスキン、及び壁紙のうち少なくとも１つを記憶すること、
を特徴とする請求項１から請求項４のいずれか１項に記載の利用収益還元サーバ。
【請求項６】
利用収益還元サーバが、
利用者端末の表示部に表示可能なテンプレートを記憶するテンプレート記憶部と、
前記テンプレートと共に表示可能な広告データを記憶する広告データ記憶部と、
を備えており、
コンピュータが、
テンプレート作成者の端末から前記テンプレートを受信し、前記テンプレート及び前記テンプレート作成者を識別する識別情報を前記テンプレートに埋め込むステップと、
前記テンプレートを、前記識別情報に対応付けて記憶し、前記テンプレート作成者の端末から受信した前記テンプレートに既に前記識別情報が埋め込まれていた場合には、改変された改変後テンプレートとして、前記識別情報に基づき改変前の前記テンプレートに対応付けて前記改変後テンプレートに対する前記テンプレートの改変に係る寄与度を記憶するステップと、
前記利用者端末から前記テンプレートの要求を受信するステップと、
前記要求を受信したことに応じて、前記要求に対応する前記記憶されたテンプレートを、前記広告データに関連付けて前記利用者端末に配布するステップと、
前記テンプレートを配布するステップにより前記テンプレートに関連付けて配布した前記広告データの属性に応じて、前記テンプレート記憶部に記憶された前記寄与度に基づき、前記改変後テンプレートと、前記配布されたテンプレートに係る報酬を計算するステップと、
前記計算するステップにより計算され、前記テンプレート作成者に分配される前記報酬を、前記識別情報に対応付けて記憶するステップと、
前記利用者端末から、前記テンプレート上に配置された前記広告データが選択されたことに応じて、前記広告データにリンクされた広告ページの要求を受信するステップと、
前記広告ページの要求を受信するステップにより、前記広告ページの要求を受信したことに応じて報酬を計算するステップと、
を実行する利用収益還元方法。
【請求項７】
コンピュータが、
利用者端末の表示部に表示可能なテンプレートを記憶するテンプレート記憶部と、
前記テンプレートと共に表示可能な広告データを記憶する広告データ記憶部と、
を備えており、
前記コンピュータに、
テンプレート作成者の端末から前記テンプレートを受信し、前記テンプレート及び前記テンプレート作成者を識別する識別情報を前記テンプレートに埋め込むステップと、
前記テンプレートを、前記識別情報に対応付けて記憶し、前記テンプレート作成者の端末から受信した前記テンプレートに既に前記識別情報が埋め込まれていた場合には、改変された改変後テンプレートとして、前記識別情報に基づき改変前の前記テンプレートに対応付けて前記改変後テンプレートに対する前記テンプレートの改変に係る寄与度を記憶するステップと、
前記利用者端末から前記テンプレートの要求を受信するステップと、
前記要求を受信したことに応じて、前記要求に対応する前記記憶されたテンプレートを、前記広告データに関連付けて前記利用者端末に配布するステップと、
前記テンプレートを配布するステップにより前記テンプレートに関連付けて配布した前記広告データの属性に応じて、前記テンプレート記憶部に記憶された前記寄与度に基づき、前記改変後テンプレートと、前記配布されたテンプレートに係る報酬を計算するステップと、
前記計算するステップにより計算され、前記テンプレート作成者に分配される前記報酬を、前記識別情報に対応付けて記憶するステップと、
前記利用者端末から、前記テンプレート上に配置された前記広告データが選択されたことに応じて、前記広告データにリンクされた広告ページの要求を受信するステップと、
前記広告ページの要求を受信するステップにより、前記広告ページの要求を受信したことに応じて報酬を計算するステップと、
を実行させるための利用収益還元プログラム。
【発明の詳細な説明】
【技術分野】
【０００１】
本発明は、Ｗｅｂページの利用に係る利用収益還元サーバ、方法及びプログラムに関する。
【背景技術】
【０００２】
従来、インターネットでは、同じソフトウェアの表示形式をユーザの嗜好によって変更できる「テンプレート」や「スキン」と呼ばれるものが存在する。「テンプレート」とは、何かを作るときのもとになる定型的なデータやファイルをいい、「スキン」とは、アプリケーションソフトの外見（デザイン）に関する情報を格納したファイルをいう。以降、両者を合わせて単にテンプレートと呼ぶ。テンプレートは、一般的に無料で配布され、又は使用開始時にそのテンプレートを購入することで、利用者が自由に利用できる。
【０００３】
このようなテンプレートに関して、サービス提供用の各種テンプレートの使用頻度の統計をとり、得られた使用頻度の情報に基づいてテンプレートの使用料金を決定する料金管理装置が開示されている（例えば、特許文献１）。
【特許文献１】特開平１０−３２６１１９号公報
【発明の開示】
【発明が解決しようとする課題】
【０００４】
特許文献１に記載のシステムは、使用頻度の情報に基づいて決定されたテンプレートの使用料金を支払った利用者が利用可能なテンプレートに関するものである。しかし、一般的に無料で配布されることが多いテンプレート等に対して使用料金を支払うのは、利用者にとって抵抗感が残るという問題があった。また、テンプレート作成者にとっては、テンプレート等を提供することに対する報酬は、さらなるテンプレート等の作成意欲をかき立てる魅力的なものであった。
【０００５】
他方、Ｗｅｂページ上に広告主のページへ遷移するリンク等を広告主が用意することで、利用者がＷｅｂページ上のリンクを選択すると、広告主のページへのリンク情報を有するＷｅｂページの管理者に、広告主から報酬が支払われるアフィリエイトという仕組みがある。
【０００６】
そこで、本発明は、テンプレートと広告による報酬とを組み合せることで、テンプレートの作成者に報酬が付与され、しかも利用者に抵抗感なくテンプレートを利用可能とする利用収益還元サーバ、方法及びプログラムを提供することを目的とする。
【課題を解決するための手段】
【０００７】
本発明者は、テンプレートとアフェリエイトとを関連付ける仕組みを見出し、本発明を完成するに至った。本発明は、具体的には次のようなものを提供する。
【０００８】
（１）  利用者端末の表示部に表示可能なテンプレートをテンプレート作成者の端末から受信し、前記テンプレートを識別する識別情報を前記テンプレートに埋め込む識別情報埋込手段と、
前記テンプレートを、前記識別情報に対応付けて記憶するテンプレート記憶部と、
前記テンプレートと共に表示可能な広告データを記憶する広告データ記憶部と、
前記利用者端末から前記テンプレートの要求を受信する要求受信手段と、
前記要求を受信したことに応じて、前記要求に対応する前記記憶されたテンプレートを、前記広告データに関連付けて前記利用者端末に配布するテンプレート配布手段と、
前記配布されたテンプレートに係る報酬を計算する報酬計算手段と、
前記報酬計算手段により計算され、前記テンプレート作成者に分配される前記報酬を、前記識別情報に対応付けて記憶する報酬記憶部と、
を備える利用収益還元サーバ。
【０００９】
本発明のこのような構成によれば、テンプレートを識別する識別情報をテンプレートに埋め込むんで、テンプレートを識別情報に対応付けて記憶することで、テンプレート作成者とテンプレートとを対応付けることができる。また、テンプレート作成者が作成したテンプレートを、広告データに関連付けてテンプレート利用者に配布し、配布されたテンプレートに係る報酬を計算して記憶するので、テンプレート作成者は、アフィリエイトの仕組みを用いることで、テンプレートの配布に応じて報酬を得ることができる。さらに、テンプレート利用者は、利用料等が発生せずにテンプレートを利用できる。
【００１０】
（２）  前記テンプレート記憶部は、前記テンプレート作成者の端末から受信した前記テンプレートに既に前記識別情報が埋め込まれていた場合には、改変された改変後テンプレートとして、前記識別情報に基づき改変前の前記テンプレートに対応付けて記憶し、
前記報酬計算手段は、前記改変後テンプレートと、前記テンプレートとに係る報酬を計算すること、
を特徴とする（１）に記載の利用収益還元サーバ。
【００１１】
本発明のこのような構成によれば、例えば、別のテンプレート作成者が、配布により得たテンプレートを改変した場合には、テンプレート作成者の端末から受信したテンプレートに既に識別情報が埋め込まれているので、改変後のテンプレートとしてテンプレート記憶部に記憶することで、他のテンプレート利用者に改変後のテンプレートを配布することができる。ここで、テンプレートには既に識別情報が埋め込まれているため、識別情報に基づいて、改変後のテンプレートを改変前のテンプレートに対応付けてテンプレート記憶部に記憶できる。よって、テンプレートの改変を、複数のテンプレート作成者によって多段階に行うことができる。また、改変後のテンプレートと、改変前のテンプレートとに係る報酬を計算するので、改変したテンプレートによる報酬を、改変前のテンプレートの作成者も得ることができる。
【００１２】
（３）  前記テンプレート記憶部は、前記改変後テンプレートに対する前記テンプレートの寄与度を記憶し、
前記報酬計算手段は、前記テンプレート記憶部に記憶された前記寄与度に基づき、前記改変後テンプレートと、前記テンプレートとに係る報酬を計算すること、
を特徴とする（２）に記載の利用収益還元サーバ。
【００１３】
本発明のこのような構成によれば、改変後のテンプレートに対する改変前のテンプレートの寄与度に基づき、報酬を計算するので、テンプレートの改変度合いに応じて、改変前のテンプレート作成者と改変後のテンプレート作成者とに報酬を付与することができる。
【００１４】
（４）  前記テンプレート配布手段は、前記テンプレートの一部分に前記広告データを表示する広告表示領域を有する前記テンプレートを配布すること、
を特徴とする（１）から（３）のいずれか１項に記載の利用利益還元サーバ
【００１５】
本発明のこのような構成によれば、テンプレートの一部分に広告データを表示するので、テンプレート利用者が広告データを認識しやすくなることで、宣伝広告に対する効果が期待できる。
【００１６】
（５）  前記要求受信手段は、前記利用者端末から前記識別情報と共に広告要求を受信し、
前記報酬計算手段は、前記要求受信手段により受信した前記広告要求に対応する広告データを前記利用者端末に送信することに応じて、前記識別情報に対応する前記テンプレートに係る報酬を計算すること、
を特徴とする（１）から（４）のいずれか１項に記載の利用利益還元サーバ。
【００１７】
本発明のこのような構成によれば、テンプレートと共に表示された広告からの要求に応じて、広告データを送信することに応じて、そのテンプレートに対する報酬を計算するので、テンプレートと共に表示された広告からの要求に基づき、テンプレートの作成者は、報酬を得ることができる。よって、テンプレートと広告データとによる相乗効果が期待できる。
【００１８】
（６）  前記報酬計算手段は、前記テンプレート配布手段により前記テンプレートに関連付けて配布した前記広告データの属性に応じて、前記報酬を計算すること、
を特徴とする（１）から（５）のいずれか１項に記載の利用収益還元サーバ。
【００１９】
本発明のこのような構成によれば、テンプレートと共に表示される広告データの属性として、例えば広告の表示領域の大きさや、広告の表示方法に応じて、報酬を計算するので、テンプレートに表示する広告に関して、他の広告との差別化を図ることができる。
【００２０】
（７）  前記テンプレート記憶部は、前記テンプレートとしてＷｅｂページ上に表示するＷｅｂページのテンプレート、ソフトウェアのデザインに関する情報であるスキン、及び壁紙のうち少なくとも１つを記憶すること、
を特徴とする（１）から（６）のいずれか１項に記載の利用収益還元サーバ。
【００２１】
本発明のこのような構成によれば、Ｗｅｂページ上に表示するテンプレート、ソフトウェアのデザインに関するスキン、壁紙といった様々なものをテンプレートとして用いることができる。
【００２２】
（８）  利用収益還元サーバが、
利用者端末の表示部に表示可能なテンプレートを記憶するテンプレート記憶部と、
前記テンプレートと共に表示可能な広告データを記憶する広告データ記憶部と、
を備えており、
テンプレート作成者の端末から前記テンプレートを受信し、前記テンプレート及び前記テンプレート作成者を識別する識別情報を前記テンプレートに埋め込むステップと、
前記テンプレートを、前記識別情報に対応付けて記憶するステップと、
前記利用者端末から前記テンプレートの要求を受信するステップと、
前記要求を受信したことに応じて、前記要求に対応する前記記憶されたテンプレートを、前記広告データに関連付けて前記利用者端末に配布するステップと、
前記配布されたテンプレートに係る報酬を計算するステップと、
前記計算するステップにより計算され、前記テンプレート作成者に分配される前記報酬を、前記識別情報に対応付けて記憶するステップと、
を含む利用収益還元方法。
【００２３】
（９）  コンピュータが、
利用者端末の表示部に表示可能なテンプレートを記憶するテンプレート記憶部と、
前記テンプレートと共に表示可能な広告データを記憶する広告データ記憶部と、
を備えており、
前記コンピュータに、
テンプレート作成者の端末から前記テンプレートを受信し、前記テンプレート及び前記テンプレート作成者を識別する識別情報を前記テンプレートに埋め込むステップと、
前記テンプレートを、前記識別情報に対応付けて記憶するステップと、
前記利用者端末から前記テンプレートの要求を受信するステップと、
前記要求を受信したことに応じて、前記要求に対応する前記記憶されたテンプレートを、前記広告データに関連付けて前記利用者端末に配布するステップと、
前記配布されたテンプレートに係る報酬を計算するステップと、
前記計算するステップにより計算され、前記テンプレート作成者に分配される前記報酬を、前記識別情報に対応付けて記憶するステップと、
を実行させるための利用収益還元プログラム。
【発明の効果】
【００２４】
本発明によれば、テンプレートと広告による報酬とを組み合せることで、テンプレート作成者は、配布に応じて報酬を得ることができる。また、テンプレート利用者は、利用料等が発生せずにテンプレートを利用できる。
【発明を実施するための最良の形態】
【００２５】
以下、本発明を実施するための最良の形態について図を参照しながら説明する。なお、これはあくまでも一例であって、本発明の技術的範囲はこれに限られるものではない。
【００２６】
（第１実施形態）
［利用収益還元システムの全体構成及び利用収益還元サーバの機能構成］
図１は、第１実施形態に係る利用収益還元システム１００の全体構成及び利用収益還元サーバ１の機能構成を示す図である。
【００２７】
利用収益還元システム１００は、利用収益還元サーバ１と、通信ネットワーク３と、端末５とにより構成される。図１に示すように、インターネット等の通信回線に代表される通信ネットワーク３を介して、利用収益還元サーバ１と、端末５とが通信可能に接続されている。
【００２８】
利用収益還元サーバ１は、制御部１０と記憶部２０を備える。制御部１０は、要求受信手段１１と、テンプレート配布手段１２と、報酬計算手段１４と、識別情報埋込手段１６とを備える。また、記憶部２０は、テンプレートテーブル２２と、広告テーブル２４と、報酬テーブル２６とを備える。なお、利用収益還元サーバ１のハードウェアの数に制限はなく、必要に応じて１又は複数のハードウェアで構成してよい。また、複数のハードウェアで構成する場合には、通信ネットワーク３を介して各ハードウェアを接続してもよい。例えば、後述する各機能ごとに別サーバとし、各サーバ間での信号の送受信により、各サーバを連携させることで、第１実施形態の機能を実現してもよい。
【００２９】
要求受信手段１１は、テンプレート利用者の端末５Ｂから、利用収益還元サーバ１に対する要求を受信する。例えば、テンプレートの送信要求依頼や、広告ページの送信要求依頼に関する要求を受信する。
【００３０】
テンプレート配布手段１２は、テンプレート利用者の端末５Ｂに、広告データに関連付けてテンプレートを配布する。第１実施形態では、以降、Ｗｅｂ上に表示するテンプレート（Ｗｅｂテンプレート）を例に説明するが、ソフトウェアのスキンやデスクトップの壁紙等の、ユーザの嗜好によって利用者が作成及び変更（改変）でき、端末５Ｂにダウンロードすることで利用できるファイルであってもよい。報酬計算手段１４は、例えば、テンプレートを利用者に配布したことで、テンプレート作成者が受け取れる報酬を計算する。
【００３１】
識別情報埋込手段１６は、テンプレート作成者の端末５Ａからテンプレートを受信した場合に、テンプレートを一意に識別するためのテンプレートＩＤ等の識別情報をテンプレートに埋め込む。記憶部２０に備える各テーブルについては後述する。
【００３２】
端末５は、テンプレート作成者が用いる端末５Ａ、テンプレート利用者が用いる端末５Ｂ、広告主が用いる端末５Ｃを含む。端末５Ａは、テンプレート作成者が、テンプレートを作成して利用収益還元サーバ１にアップロード等する際に使用される。また、端末５Ｂは、テンプレート利用者が、利用収益還元サーバ１からテンプレートをダウンロード等をする際に使用される。さらに、端末５Ｃは、広告主が、利用収益還元サーバ１に記憶させるための広告データをアップロードしたり、広告と関連付けるテンプレートを選択したりする際に使用される。
【００３３】
［利用収益還元サーバ１のハードウェア構成図］
図２は、第１実施形態に係る利用収益還元サーバ１のハードウェア構成を示す図である。本発明が実施されるサーバは標準的なものでよく、以下に構成の一例を示す。
【００３４】
利用収益還元サーバ１は、制御部１０を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン４９０、通信Ｉ／Ｆ（Ｉ／Ｆ：インターフェイス）３３０、メインメモリ３４０、ＢＩＯＳ（Ｂａｓｉｃ  Ｉｎｐｕｔ  Ｏｕｔｐｕｔ  Ｓｙｓｔｅｍ）３５０、表示装置３６０、Ｉ／Ｏコントローラ３７０、キーボード及びマウス等の入力装置３８０、ハードディスク３９０、光ディスクドライブ４００、並びに半導体メモリ４２０を備える。なお、ハードディスク３９０、光ディスクドライブ４００、並びに半導体メモリ４２０をまとめて記憶部２０と呼ぶ。
【００３５】
制御部１０は、利用収益還元サーバ１を統括的に制御する部分であり、ハードディスク３９０に記憶された各種プログラムを適宜読み出して実行することにより、上述したハードウェアと協働し、本発明に係る各種機能を実現している。
【００３６】
通信Ｉ／Ｆ３３０は、利用収益還元サーバ１が、通信ネットワーク３（図１）を介して端末５等（図１）と情報を送受信する場合のネットワーク・アダプタである。通信Ｉ／Ｆ３３０は、モデム、ケーブル・モデム及びイーサネット（登録商標）・アダプタを含んでよい。
【００３７】
ＢＩＯＳ３５０は、利用収益還元サーバ１の起動時にＣＰＵ３１０が実行するブートプログラムや、利用収益還元サーバ１のハードウェアに依存するプログラム等を記録する。
【００３８】
表示装置３６０は、ブラウン管表示装置（ＣＲＴ）、液晶表示装置（ＬＣＤ）等のディスプレイ装置を含む。
【００３９】
Ｉ／Ｏコントローラ３７０には、ハードディスク３９０、光ディスクドライブ４００、及び半導体メモリ４２０等の記憶装置である記憶部２０を接続することができる。
【００４０】
入力装置３８０は、利用収益還元サーバ１の管理者による入力の受け付けを行うものである。
【００４１】
ハードディスク３９０は、本ハードウェアを利用収益還元サーバ１として機能させるための各種プログラム、本発明の機能を実行するプログラム及び後述するテーブル及びレコードを記憶する。なお、利用収益還元サーバ１は、外部に別途設けたハードディスク（図示せず）を外部記憶装置として利用することもできる。
【００４２】
光ディスクドライブ４００としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は、各ドライブに対応した光ディスク４１０を使用する。光ディスク４１０から光ディスクドライブ４００によりプログラム又はデータを読み取り、Ｉ／Ｏコントローラ３７０を介してメインメモリ３４０又はハードディスク３９０に提供することもできる。
【００４３】
なお、本発明でいうコンピュータとは、記憶装置、制御部等を備えた情報処理装置をいい、利用収益還元サーバ１は、記憶部２０、制御部１０等を備えた情報処理装置により構成され、この情報処理装置は、本発明のコンピュータの概念に含まれる。
【００４４】
［端末５のハードウェア構成］
端末５も、上述の利用収益還元サーバ１と同様な構成を持つ。また、上述の例ではいわゆるコンピュータで実現した例について説明したが、さらに、本発明の原理が適用可能である限り、携帯電話、ＰＤＡ（Ｐｅｒｓｏｎａｌ  Ｄａｔａ  Ａｓｓｉｓｔａｎｔ）等の様々な端末で実現してよい。
【００４５】
［処理概要図］
図３は、第１実施形態に係るテンプレート作成者とテンプレート利用者と広告主とによる処理の流れの一例を示す図である。
【００４６】
まず、テンプレート作成者Ａが、自身が作成したテンプレートａを利用収益還元サーバ１に送信する（＃１）ことで、利用収益還元サーバ１は、テンプレートａを記憶する。他方、広告主が、広告データｘ（広告データｘ１及び広告データｘ２）を利用収益還元サーバ１に送信する（＃２）ことで、利用収益還元サーバ１は、広告データｘを記憶する。広告データｘは、画像形式のものでもよいし、バナー形式のものでもよい。利用収益還元サーバ１は、テンプレートａと広告データｘ１とを関連付ける（＃３）。
【００４７】
そして、テンプレート利用者Ｂが、テンプレートａを選択することで、利用収益還元サーバ１は、広告データｘ１が関連付けられたテンプレートａｘを、テンプレート利用者Ｂに送信する（＃４）。テンプレートａｘは、元のテンプレートａの一部分に広告データｘ１が表示されるようになったテンプレートである。また、テンプレートａｘを送信したことに応じて、利用収益還元サーバ１は、テンプレート作成者Ａに、報酬を付与する（＃５）。この報酬は、広告主から支払われる。
【００４８】
ここで、テンプレート利用者Ｂが、テンプレートａｘを改変してテンプレートｂを作成し（＃６）、利用収益還元サーバ１に送信する（＃７）ことで、利用収益還元サーバ１は、テンプレートｂを記憶する。そして、利用収益還元サーバ１は、テンプレートｂと広告データｘ２とを関連付ける（＃８）。ここで、テンプレート利用者Ｂは、テンプレートｂに関してはテンプレート作成者Ｂとなる。
【００４９】
そして、テンプレート利用者Ｃが、テンプレートｂを選択することで、利用収益還元サーバ１は、広告データｘ２が関連付けられたテンプレートｂｘを、テンプレート利用者Ｃに送信する（＃９）。また、テンプレートｂｘを送信したことに応じて、利用収益還元サーバ１は、改変前のテンプレート作成者Ａと、今回のテンプレート作成者Ｂとに、報酬を付与する（＃１０）。
【００５０】
このように、テンプレート作成者に報酬が支払われるが、その報酬は広告主によるものである。よって、アフィリエイトの仕組みを利用して、テンプレートの作成者に報酬が付与され、しかもテンプレート利用者は、無料でテンプレートを利用でき、抵抗感なくテンプレートを利用できる。
【００５１】
なお、上述の説明では、広告主からの広告データの受信タイミングが、テンプレート作成者Ａからのテンプレート受信後となっているが、受領タイミング及び受領方法はどのようなものでもよい。テンプレートを受信するより前に予め受信していてもよいし、通信ネットワーク３を介さず、記録媒体等により直接に利用収益還元サーバ１へ広告データを受領する方法であってもよい。
【００５２】
また、上述の説明では、テンプレート作成者Ａが作成したテンプレートａｘを利用したテンプレート利用者Ｂが、テンプレート作成者Ｂとなってテンプレートａｘを改変しているが、例えばテンプレートの改変を専門に行う他のテンプレート作成者によって、テンプレートの改変を行うものであってよい。
【００５３】
さらに、上述の説明では、テンプレート作成者Ｂは、広告データｘ１を有したテンプレートａｘを改変してテンプレートｂを作成しているが、広告データｘ１を削除してテンプレートｂを作成してもよい。また、利用収益還元サーバ１は、テンプレートｂと広告データｘ２とを関連付けているが、他の広告主の広告データをテンプレートｂと関連付けてもよい。
【００５４】
［テンプレート記憶処理のフローチャート及びテーブル］
図４は、第１実施形態に係るテンプレート記憶処理のフローチャートである。また、図５は、第１実施形態に係る記憶部２０に格納されるテンプレートテーブル２２を示す図である。
【００５５】
図４のＳ１００：利用収益還元サーバ１の要求受信手段１１は、テンプレート作成者の端末５Ａからテンプレートを受信する。具体的には、テンプレートのソースコードと共に、テンプレート作成者を特定できる作成者情報や、テンプレートのカテゴリに関する情報も受信する。
【００５６】
Ｓ１１０：利用収益還元サーバ１の制御部１０は、受信したテンプレートにテンプレートＩＤ（識別情報）が付与されているか否かを判断する。テンプレートＩＤが付与されている場合とは、受信したテンプレートが、既にテンプレートテーブル２２に記憶されており、そのテンプレートを改変したテンプレートであることをいう。例えば、テンプレートのソースコード内にテンプレートＩＤを埋め込むことで、テンプレートＩＤの付与の有無を判断できる。なお、ソースコード内に埋め込んだテンプレートＩＤが改変されないように、例えば、テンプレートＩＤを別ファイルに有し、改変できないものとする等の改変防止手段を施すことが望ましい。テンプレートＩＤが付与されている場合（Ｓ１１０：ＹＥＳ）には、Ｓ１２０に進む。また、テンプレートＩＤが付与されていない場合（Ｓ１１０：ＮＯ）には、Ｓ１３０に進む。
【００５７】
Ｓ１２０：利用収益還元サーバ１の制御部１０は、付与されているテンプレートＩＤを元テンプレートＩＤと認識する。
【００５８】
Ｓ１３０：利用収益還元サーバ１の制御部１０は、新たなテンプレートＩＤを付与する。テンプレートＩＤは、テンプレートを一意に表す記号をいう。
【００５９】
Ｓ１４０：利用収益還元サーバ１の制御部１０は、テンプレートテーブル２２にレコードを追加して記憶する。
【００６０】
ここで、テンプレートテーブル２２を、図５に基づき説明する。テンプレートテーブル２２は、テンプレートＩＤをキー情報として、テンプレートと作成者と、改変した場合の元テンプレートＩＤとを対応付けるテーブルである。
【００６１】
テンプレートテーブル２２は、テンプレートＩＤ２２ａ、テンプレート２２ｂ、作成者情報２２ｃ、元テンプレートＩＤ２２ｄ、テンプレートカテゴリ２２ｅを有する。テンプレートＩＤ２２ａには、上述のとおり、テンプレートを一意に示す記号が格納される。この記号は、利用収益還元サーバ１の制御部１０が適宜付与してよい。テンプレート２２ｂには、テンプレートのファイルそのものであり、例えば、ＨＴＭＬ（ＨｙｐｅｒＴｅｘｔ  Ｍａｒｋｕｐ  Ｌａｎｇｕａｇｅ）形式のソースコードが格納される。作成者情報２２ｃには、テンプレート作成者を表す情報が格納される。元テンプレートＩＤ２２ｄには、当該テンプレートが既にテンプレートテーブル２２に記憶されたテンプレートを改変したものである場合に、その元となるテンプレートのテンプレートＩＤが格納される。テンプレートカテゴリ２２ｅには、テンプレートのカテゴリが格納される。カテゴリとは、例えば、「ブログ」、「ＳＮＳ」、「音楽プレーヤ」や「家計簿」等をいう。
【００６２】
図５（Ａ）及び図５（Ｂ）のレコードは、作成者情報２２ｃが「Ａさん」であり、元テンプレートＩＤ２２ｄがブランクであるため、Ａさんにより新規で作成されたテンプレートである。また、図５（Ｃ）のレコードは、作成者情報２２ｃが「Ｂさん」であり、元テンプレートＩＤ２２ｄが「Ａ００１」であるため、テンプレートＩＤ２２ａをサーチして、「Ａさん」が作成したテンプレート（図５（Ａ））にＢさんが改変を加えて作成されたテンプレートである。
【００６３】
図４のＳ１４０を例に、テンプレートテーブル２２へのレコードの追加を説明する。テンプレートＩＤ２２ａには、利用収益還元サーバ１の制御部１０により決定された一意の記号を格納する。テンプレート２２ｂには、受信したテンプレートそのものであるデータを格納する。作成者情報２２ｃには、受信した作成者情報を格納する。元テンプレートＩＤ２２ｄには、受信したテンプレートにテンプレートＩＤが付与されている場合には、そのテンプレートＩＤを格納する。テンプレートＩＤが付与されていない場合には、ブランクになる。テンプレートカテゴリ２２ｅには、Ｓ１００で端末５Ａから受信したカテゴリに関する情報を格納する。
【００６４】
第１実施形態によれば、テンプレートテーブル２２に既に記憶されたテンプレートに改変を加えたテンプレートを記憶する場合には、新たに記憶するテンプレートのテンプレートＩＤ２２ａに、元テンプレートＩＤ２２ｄを対応付けて格納するので、改変前のテンプレートと、改変後のテンプレートを対応付けることができる。
【００６５】
［テンプレート配布処理のフローチャート及びテーブル］
図６は、第１実施形態に係るテンプレート配布処理のフローチャートである。また、図７は、第１実施形態に係る記憶部２０に格納される広告テーブル２４及び報酬テーブル２６を示す図である。
【００６６】
図６のＳ２００：利用収益還元サーバ１の要求受信手段１１は、テンプレート利用者の端末５Ｂからテンプレートの要求を受信する。
【００６７】
Ｓ２１０：利用収益還元サーバ１の制御部１０は、受信した要求に対応したテンプレートを、テンプレートテーブル２２から抽出する。
【００６８】
Ｓ２２０：所定の広告データを、記憶部２０に記憶された広告テーブル２４から抽出する。
【００６９】
ここで、広告テーブル２４を、図７（ａ）に基づき説明する。広告テーブル２４は、広告ＩＤをキー情報として、広告データを対応付けるテーブルである。
【００７０】
広告テーブル２４は、広告ＩＤ２４ａ、広告データ２４ｂ、リンク情報２４ｃ、広告カテゴリ２４ｄを有する。広告ＩＤ２４ａには、広告データを一意に示す記号が格納される。この記号は、利用収益還元サーバ１の制御部１０が、適宜付与してよい。広告データ２４ｂには、広告データが格納される。広告データとは、バナー形式や画像形式、動画形式等によりテンプレート上に配置可能なものをいう。リンク情報２４ｃには、広告ページのアドレス（ＵＲＬ）が格納される。広告カテゴリ２４ｄには、広告のカテゴリが格納される。カテゴリとは、例えば、「音楽」、「車」や「日用品」等をいう。
【００７１】
この広告テーブル２４を用いることで、所定の広告データを抽出する際に、テンプレートのカテゴリと合致する、もしくは類似のカテゴリに属する広告データを抽出することができる。その他、広告データとテンプレートとの対応付けは、例えば、テンプレートの利用度合いに応じて、テンプレート作成者や広告主により手動で行ってもよいし、利用収益還元サーバ１がランダムに対応付けを決定してもよい。なお、広告データとテンプレートとの対応付けは、記憶部２０に対応付けテーブル（図示せず）を有してもよい。
【００７２】
図６に戻ってＳ２３０：利用収益還元サーバ１のテンプレート配布手段１２は、抽出された広告データに関連付けて、テンプレートをテンプレート利用者の端末５Ｂに送信する。
【００７３】
Ｓ２４０：利用収益還元サーバ１の報酬計算手段１４は、報酬計算処理を行う。報酬計算処理は、テンプレート配布によるテンプレート作成者への報酬を計算する処理であり、テンプレート利用者の端末５Ｂにテンプレートが送信されたことにより行われる。この処理により計算される報酬は、例えば、当該テンプレート上に表示された広告の広告主により提供される。
【００７４】
ここで、報酬計算処理について、より詳しく説明する。報酬は、テンプレート作成者に分配される例えば仮想通貨等である。テンプレートが改変されていない場合には、テンプレートを配布することによる報酬は、そのテンプレート、つまりテンプレート作成者に割り当てられる。他方、テンプレートが改変されている場合には、テンプレートを配布することによる報酬は、元のテンプレートと改変後のテンプレートとで分配される。
【００７５】
この分配は、改変前のテンプレートと改変後のテンプレートとの割合を予め設定しておいてもよい。また、テンプレートの改変に係る寄与度を、テンプレート作成者に登録させることで、記憶部２０に寄与度を記憶し（図示せず）、その寄与度を用いて元のテンプレートと改変後のテンプレートとの分配率を決定してもよい。さらに、テンプレートの改変が複数のテンプレート作成者によって多段階に行われた場合には、各改変したテンプレート作成者に対して分配率を設定するようにしてもよい。
【００７６】
Ｓ２５０：利用収益還元サーバ１の制御部１０は、報酬計算処理により計算された報酬を、テンプレートＩＤに対応付けて記憶部２０の報酬テーブル２６に記憶する。
【００７７】
ここで、報酬テーブル２６を、図７（ｂ）に基づき説明する。報酬テーブル２６は、テンプレートＩＤをキー情報として、報酬を対応付けるテーブルである。
【００７８】
報酬テーブル２６は、テンプレートＩＤ２６ａ、報酬額２６ｂを有する。テンプレートＩＤ２６ａは、テンプレートテーブル２２のテンプレートＩＤ２２ａと同じである。報酬額２６ｂには、発生した報酬額が格納される。テンプレートが配布されるごとに、該当のテンプレートＩＤ２６ａのテンプレートＩＤに対応するレコードの報酬額を更新する。また、報酬額がテンプレートＩＤ２６ａに対応するテンプレート作成者に支払われた場合には、該当のレコードの報酬額２６ｂから支払分を減算して更新する。
【００７９】
第１実施形態によれば、テンプレートが、テンプレート利用者の端末５Ｂに配布されるごとに、テンプレート作成者に報酬が支払われるので、テンプレート作成者は、より利用者に使用してもらえるテンプレートを作成しようとする。そのため、テンプレートの作成意欲を利用者等に掻き立たせることができる。また、機能のより充実した、またデザイン性により優れたテンプレートが、テンプレート作成者により提供される契機となりうる。
【００８０】
（第２実施形態）
第１実施形態では、テンプレートを配布する度に、報酬を発生させてテンプレート作成者に付与するものを説明した。第２実施形態では、第１実施形態に加えて、テンプレート利用者が、テンプレートから広告ページを呼び出した際に、報酬を発生させてテンプレート作成者に付与するものである。
【００８１】
なお、以下の説明において、上述した第１実施形態と同様の機能を果たす部分には、同一の符号又は末尾に同一の符号を付して、重複する説明を適宜省略する。
【００８２】
［広告ページ呼び出し処理のフローチャート］
図８は、第２実施形態に係る広告ページ呼び出し処理のフローチャートである。
【００８３】
Ｓ３００：テンプレート利用者の端末５Ｂにおいて、利用者がテンプレートからテンプレート上の広告をクリック等することで端末５Ｂから送信される広告ページの要求データを、利用収益還元サーバ２０１の要求受信手段１１は受信する。
【００８４】
Ｓ３１０：利用収益還元サーバ２０１の制御部２１０は、広告テーブル２４を参照し、リンク情報２４ｃの該当の広告サーバ２０２のアドレスに対して、広告ページの要求を送信する。
【００８５】
Ｓ４００：広告サーバ２０２は、利用収益還元サーバ２０１から広告ページの要求を受信する。
【００８６】
Ｓ４１０：広告サーバ２０２は、利用収益還元サーバ２０１に、該当の広告ページを送信する。
【００８７】
Ｓ３２０：利用収益還元サーバ２０１の制御部２１０は、広告サーバ２０２から広告ページを受信する。
【００８８】
Ｓ３３０：利用収益還元サーバ２０１の制御部２１０は、広告ページを該当の端末５Ｂに送信する。
【００８９】
Ｓ３４０：利用収益還元サーバ２０１の報酬計算手段１４は、報酬計算処理を行う。
【００９０】
Ｓ３５０：利用収益還元サーバ２０１の制御部２１０は、報酬計算処理により計算された報酬を、テンプレートＩＤに対応付けて記憶部２０の報酬テーブル２６に記憶する。
【００９１】
この第２実施形態では、利用収益還元サーバ２０１が広告サーバ２０２に広告ページを要求し、広告サーバ２０２から該当の広告ページを利用収益還元サーバ２０１が受信した後に、利用収益還元サーバ２０１が、端末５Ｂに広告ページを送信するものであった。しかし、利用収益還元サーバ２０１が、広告ページの送信依頼を広告サーバ２０２に送信したことに応じて、広告サーバ２０２から直接に端末５Ｂに広告ページを送信するようにしてもよい。その場合には、広告ページの送信依頼を広告サーバ２０２に送信したことに応じて、報酬計算処理を行うようにする。
【００９２】
第２実施形態によれば、テンプレートと共に表示された広告からの要求に応じて、広告ページを送信することに応じて、そのテンプレートに対する報酬を計算するので、テンプレートと共に表示された広告からの要求に基づき、テンプレートの作成者は、報酬を得ることができる。よって、テンプレートと広告とによる相乗効果が期待できる。
【００９３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００９４】
（変形形態）
第１及び第２実施形態では、広告データに関する報酬額の変更に関するものはなかったが、テンプレートに対して表示する広告の大きさ（広告領域の大きさ）に応じて、報酬額を変更してもよい。また、動画広告やバナー広告等の広告の表示方法に応じて、報酬額を変更してもよい。そのようにすることで、他の広告との差別化を図ることができる。
【図面の簡単な説明】
【００９５】
【図１】第１実施形態に係る利用収益還元システムの全体構成及び利用収益還元サーバの機能構成を示す図である。
【図２】第１実施形態に係る利用収益還元サーバのハードウェア構成を示す図である。
【図３】第１実施形態に係るテンプレート作成者とテンプレート利用者と広告主とによる処理の流れの一例を示す図である。
【図４】第１実施形態に係るテンプレート記憶処理のフローチャートである。
【図５】第１実施形態に係る記憶部に格納されるテンプレートテーブルを示す図である。
【図６】第１実施形態に係るテンプレート配布処理のフローチャートである。
【図７】第１実施形態に係る記憶部に格納される広告テーブル及び報酬テーブルを示す図である。
【図８】第２実施形態に係る広告ページ呼び出し処理のフローチャートである。
【符号の説明】
【００９６】
１，２０１  利用収益還元サーバ
５，５Ａ，５Ｂ，５Ｃ  端末
１０，２１０  制御部
１１    要求受信手段
１２    テンプレート配布手段
１４    報酬計算手段
１６    識別情報埋込手段
２０    記憶部
２２    テンプレートテーブル
２４    広告テーブル
２６    報酬テーブル
１００  利用収益還元システム
２０２  広告サーバ
【図１】
0004981729.tif 000002
【図２】
0004981729.tif 000003
【図３】
0004981729.tif 000004
【図４】
0004981729.tif 000005
【図５】
0004981729.tif 000006
【図６】
0004981729.tif 000007
【図７】
0004981729.tif 000008
【図８】
0004981729.tif 000009